(57)【要約】【課題】従来、パートナー企業のビジネスを活性化、支援することができなかった。【解決手段】パートナー企業のウェブサイトを特定するパートナー企業ウェブサイト特定情報を１以上格納しているパートナー企業ウェブサイト特定情報格納部と、情報端末装置に出力されているウェブサイトを特定する情報である出力ウェブサイト特定情報を前記情報端末装置から受信し、当該出力ウェブサイト特定情報が前記パートナー企業ウェブサイト特定情報格納部に格納されているパートナー企業ウェブサイト特定情報の中に含まれるか否かを判断し、判断結果を取得する判断処理部と、判断処理部が取得した判断結果を前記情報端末装置に送信する処理結果送信部を具備するサーバ装置により、パートナー企業のビジネスを活性化、支援することができる。【選択図】図２
2009098959.tif 000002
【特許請求の範囲】
【請求項１】
サーバ装置と情報端末装置を具備する情報処理システムを構成するサーバ装置であって、
前記サーバ装置は、
ある企業に関連する企業であるパートナー企業のウェブサイトを特定するパートナー企業ウェブサイト特定情報を１以上格納しているパートナー企業ウェブサイト特定情報格納部と、
前記情報端末装置に出力されているウェブサイトを特定する情報である出力ウェブサイト特定情報を前記情報端末装置から受信し、当該出力ウェブサイト特定情報が前記パートナー企業ウェブサイト特定情報格納部に格納されているパートナー企業ウェブサイト特定情報の中に含まれるか否かを判断し、判断結果を取得する判断処理部と、
前記判断処理部が取得した判断結果を送信する処理結果送信部を具備し、
前記情報端末装置は、
出力ウェブサイト特定情報を取得する出力ウェブサイト特定情報取得部と、
前記サーバ装置に、前記出力ウェブサイト特定情報を送信し、当該出力ウェブサイト特定情報の送信に対応して、前記判断結果を受信する通信部と、
前記通信部が受信した判断結果を出力する判断結果出力部を具備する情報処理システムを構成するサーバ装置。
【請求項２】
サーバ装置と情報端末装置を具備する情報処理システムを構成するサーバ装置であって、
前記サーバ装置は、
ある企業に関連する企業であるパートナー企業のウェブサイトを特定するパートナー企業ウェブサイト特定情報を１以上格納しているパートナー企業ウェブサイト特定情報格納部と、
前記情報端末装置に出力されているウェブサイトを特定する情報である出力ウェブサイト特定情報を前記情報端末装置から受信し、当該出力ウェブサイト特定情報が前記パートナー企業ウェブサイト特定情報格納部に格納されているパートナー企業ウェブサイト特定情報の中に含まれるか否かを判断し、判断結果を取得する判断処理部と、
前記判断処理部が取得した判断結果を送信する処理結果送信部を具備し、
前記情報端末装置は、
出力ウェブサイト特定情報を取得する出力ウェブサイト特定情報取得部と、
前記サーバ装置に、前記出力ウェブサイト特定情報を送信し、当該出力ウェブサイト特定情報の送信に対応して、前記判断結果を受信する通信部と、
前記判断部における判断結果が、前記出力ウェブサイト特定情報がパートナー企業ウェブサイト特定情報の中に含まれないとの判断結果である場合、前記サーバ装置から、少なくとも一つのパートナー企業ウェブサイト特定情報または、当該パートナー企業ウェブサイト特定情報に関する情報であるパートナー企業情報を取得するパートナー企業情報取得部と、
前記パートナー企業情報を出力するパートナー企業情報出力部を具備する情報処理システムを構成するサーバ装置。
【請求項３】
前記サーバ装置のパートナー企業ウェブサイト特定情報格納部は、
パートナー企業ウェブサイト特定情報とパートナー企業の属性を示す属性情報を対に格納しており、
前記情報端末装置のパートナー企業情報取得部は、
前記判断結果が、前記出力ウェブサイト特定情報がパートナー企業ウェブサイト特定情報の中に含まれないとの判断結果である場合、前記サーバ装置から、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得する請求項２記載のサーバ装置。
【請求項４】
前記サーバ装置は、
前記パートナー企業のライバルとなるライバル企業のウェブサイトを特定するライバル企業ウェブサイト特定情報を１以上格納しているライバル企業ウェブサイト特定情報格納部をさらに具備し、
前記判断処理部は、
前記情報端末装置に出力されているウェブサイトを特定する情報である出力ウェブサイト特定情報を前記情報端末装置から受信し、当該出力ウェブサイト特定情報が前記ライバル企業ウェブサイト特定情報格納部に格納されているライバル企業ウェブサイト特定情報の中に含まれるか否かを判断し、判断結果を取得し、
前記情報端末装置のパートナー企業情報取得部は、
前記判断結果が、前記出力ウェブサイト特定情報がライバル企業ウェブサイト特定情報の中に含まれるとの判断結果である場合、前記サーバ装置から、少なくとも一つのパートナー企業ウェブサイト特定情報または、当該パートナー企業ウェブサイト特定情報に関する情報であるパートナー企業情報を取得する請求項２記載のサーバ装置。
【請求項５】
前記サーバ装置のパートナー企業ウェブサイト特定情報格納部は、
パートナー企業ウェブサイト特定情報とパートナー企業の属性を示す属性情報を対に格納しており、
前記サーバ装置のライバル企業ウェブサイト特定情報格納部は、
ライバル企業ウェブサイト特定情報とライバル企業の属性を示す属性情報を対に格納しており、
前記情報端末装置のパートナー企業情報取得部は、
前記判断結果が、前記出力ウェブサイト特定情報がライバル企業ウェブサイト特定情報の中に含まれるとの判断結果である場合、前記サーバ装置から、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得する請求項４記載のサーバ装置。
【請求項６】
出力ウェブサイト特定情報取得部、判断処理部、および判断結果出力部を用いて実現される情報処理方法であって、
前記出力ウェブサイト特定情報取得部により、出力されているウェブサイトを特定する情報である出力ウェブサイト特定情報を取得する出力ウェブサイト特定情報取得ステップと、
前記判断処理部により、前記出力ウェブサイト特定情報が、記憶媒体に格納されている１以上のパートナー企業ウェブサイト特定情報の中に含まれるか否かを判断する判断処理ステップと、
前記判断結果出力部により、前記判断処理ステップにおける判断結果を出力する判断結果出力ステップを具備する情報処理方法。
【請求項７】
出力ウェブサイト特定情報取得部、判断処理部、パートナー企業情報取得部、およびパートナー企業情報出力部を用いて実現される情報処理方法であって、
前記出力ウェブサイト特定情報取得部により、出力されているウェブサイトを特定する情報である出力ウェブサイト特定情報を取得する出力ウェブサイト特定情報取得ステップと、
前記判断処理部により、前記出力ウェブサイト特定情報が、記憶媒体に格納されている１以上のパートナー企業ウェブサイト特定情報の中に含まれるか否かを判断する判断処理ステップと、
前記パートナー企業情報取得部により、判断処理ステップにおける判断結果が、前記出力ウェブサイト特定情報がパートナー企業ウェブサイト特定情報の中に含まれないとの判断結果である場合、少なくとも一つのパートナー企業ウェブサイト特定情報または、当該パートナー企業ウェブサイト特定情報に関する情報であるパートナー企業情報を取得するパートナー企業情報取得ステップと、
前記パートナー企業情報出力部により、前記パートナー企業情報を出力するパートナー企業情報出力ステップを具備する情報処理方法。
【請求項８】
パートナー企業ウェブサイト特定情報とパートナー企業の属性を示す属性情報を対に記憶媒体に格納しており、
前記パートナー企業情報取得ステップは、
前記判断処理ステップにおける判断結果が、前記出力ウェブサイト特定情報がパートナー企業ウェブサイト特定情報の中に含まれないとの判断結果である場合、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得する請求項７記載の情報処理方法。
【請求項９】
前記判断ステップにおいて、前記出力ウェブサイト特定情報が、記憶媒体に格納されている１以上のライバル企業ウェブサイト特定情報の中に含まれるか否かを判断し、
前記パートナー企業情報取得ステップにおいて、
前記判断処理ステップにおける判断結果が、前記出力ウェブサイト特定情報がライバル企業ウェブサイト特定情報の中に含まれるとの判断結果である場合、少なくとも一つのパートナー企業ウェブサイト特定情報または、当該パートナー企業ウェブサイト特定情報に関する情報であるパートナー企業情報を取得する請求項７記載の情報処理方法。
【請求項１０】
記憶媒体に、パートナー企業ウェブサイト特定情報とパートナー企業の属性を示す属性情報を対に格納しており、かつ、ライバル企業ウェブサイト特定情報とライバル企業の属性を示す属性情報を対に格納しており、
前記パートナー企業情報取得ステップにおいて、
前記判断処理ステップにおける判断結果が、前記出力ウェブサイト特定情報がライバル企業ウェブサイト特定情報の中に含まれるとの判断結果である場合、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得する請求項９記載の情報処理方法。
【請求項１１】
コンピュータを、
情報端末装置から出力ウェブサイト特定情報を受信し、当該出力ウェブサイト特定情報が記憶媒体に格納されているパートナー企業ウェブサイト特定情報の中に含まれるか否かを判断し、判断結果を取得する判断処理部と、
前記判断処理部が取得した判断結果を、前記情報端末装置に送信する処理結果送信部として機能させるためのプログラム。
【請求項１２】
コンピュータを、
出力されているウェブサイトを特定する情報である出力ウェブサイト特定情報を取得する出力ウェブサイト特定情報取得部と、
前記出力ウェブサイト特定情報が、格納されている１以上のパートナー企業ウェブサイト特定情報の中に含まれるか否かを判断し、判断結果を取得する判断処理部と、
前記判断結果が、前記出力ウェブサイト特定情報がパートナー企業ウェブサイト特定情報の中に含まれないとの判断結果である場合、少なくとも一つのパートナー企業ウェブサイト特定情報または、当該パートナー企業ウェブサイト特定情報に関する情報であるパートナー企業情報を取得するパートナー企業情報取得部と、
前記パートナー企業情報を出力するパートナー企業情報出力部として機能させるためのプログラム。
【請求項１３】
前記パートナー企業情報取得部を、
前記判断結果が、前記出力ウェブサイト特定情報がパートナー企業ウェブサイト特定情報の中に含まれないとの判断結果である場合、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得するものとして、コンピュータを機能させる請求項１２記載のプログラム。
【請求項１４】
前記判断処理部は、
前記出力ウェブサイト特定情報が、記憶媒体に格納されている１以上のライバル企業ウェブサイト特定情報の中に含まれるか否かを判断し、
前記パートナー企業情報取得部は、
前記判断結果が、前記出力ウェブサイト特定情報がライバル企業ウェブサイト特定情報の中に含まれるとの判断結果である場合、少なくとも一つのパートナー企業ウェブサイト特定情報または、当該パートナー企業ウェブサイト特定情報に関する情報であるパートナー企業情報を取得するものとして、コンピュータを機能させるための請求項１３記載のプログラム。
【請求項１５】
前記パートナー企業情報取得部を、
前記判断結果が、前記出力ウェブサイト特定情報がライバル企業ウェブサイト特定情報の中に含まれるとの判断結果である場合、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得するものとして、コンピュータを機能させるための請求項１４記載のプログラム。
【発明の詳細な説明】
【技術分野】
【０００１】
本発明は、パートナー企業のビジネスを活性化、支援することができる情報端末装置等に関するものである。
【背景技術】
【０００２】
従来の情報処理システムにおいて、関連する企業も含めた総括的なビジネスを支援し、顧客に対してワンストップサービスを実現する等のための仕組みを有するシステムはあった（例えば、特許文献１から特許文献３参照）。
【０００３】
例えば、特許文献１におけるシステムは、挙式、披露宴その他に要する諸費用の削減と打ち合わせ等に要する時間の浪費をなくし、挙式予定のカップル又は単身者が予定している金額で、希望する雰囲気と内容の挙式、披露宴、二次会等について一括したプランの提供ができるシステムである。本システムは、ウェブサイトを開設し、そのウェブサイト上で、挙式と挙式に伴う披露宴、二次会の演出、運営、費用の算出その他を一括して立案、掲示を行う事業体と、当該事業体の業務遂行に協力し、提携する、国内外の各地域における提携業者と、端末又は携帯電話で前記事業体のウェブサイトにアクセス可能な挙式予定のカップル又は単身者である顧客により構成される。
【特許文献１】特開２００４−１７８５２７号公報（第１頁、第１図等）
【特許文献２】特開２００５−１４１７１２号公報（第１頁、第１図等）
【特許文献３】特開２００３−９９６５３号公報（第１頁、第１図等）
【発明の開示】
【発明が解決しようとする課題】
【０００４】
しかしながら、従来の情報処理システムにおいては、現在出力中のウェブサイトとパートナー企業のウェブサイトの関係（現在出力中のウェブサイトがパートナー企業のウェブサイトであるか否かの情報等）をユーザに提示することができなかった。
【０００５】
また、従来の情報処理システムにおいては、現在出力中のウェブサイトがパートナー企業でない場合、またはパートナー企業のライバル企業である場合、それをユーザに知らせて、パートナー企業のウェブサイトに誘導することができなかった。そのため、例えば、ある航空会社のマイレージ(ポイントの一種)を蓄積するために、他のパートナー企業（例えば、衣料品メーカーＡ）の商品をネットで購入した場合にその航空会社のマイレージが貯まるにも関わらず、他のパートナー企業とはライバルの企業（例えば、衣料品メーカーＢ）のウェブサイトでユーザが同様の商品を購入することに対して、何らの通知も行われなかった。このことは、ユーザにとって、パートナー企業のウェブサイトで商品やサービスを購入すれば、ある企業のポイントが貯まることを知ることができず、ポイントが貯まるという利益を得ることができない、という状況に至らしめていた。
【０００６】
つまり、従来の情報処理システムは、パートナー企業のビジネスを活性化したり、支援したりすることが十分ではなく、かつ、ユーザにも利便を供与できていなかった。
【課題を解決するための手段】
【０００７】
本第一の発明のサーバ装置は、サーバ装置と情報端末装置を具備する情報処理システムを構成するサーバ装置であって、前記サーバ装置は、ある企業に関連する企業であるパートナー企業のウェブサイトを特定するパートナー企業ウェブサイト特定情報を１以上格納しているパートナー企業ウェブサイト特定情報格納部と、前記情報端末装置に出力されているウェブサイトを特定する情報である出力ウェブサイト特定情報を前記情報端末装置から受信し、当該出力ウェブサイト特定情報が前記パートナー企業ウェブサイト特定情報格納部に格納されているパートナー企業ウェブサイト特定情報の中に含まれるか否かを判断し、判断結果を取得する判断処理部と、前記判断処理部が取得した判断結果を送信する処理結果送信部を具備し、前記情報端末装置は、出力ウェブサイト特定情報を取得する出力ウェブサイト特定情報取得部と、前記サーバ装置に、前記出力ウェブサイト特定情報を送信し、当該出力ウェブサイト特定情報の送信に対応して、前記判断結果を受信する通信部と、前記通信部が受信した判断結果を出力する判断結果出力部を具備する情報処理システムを構成するサーバ装置である。
【０００８】
かかる構成により、自動的にユーザにパートナー企業のウェブサイトを意識させ、パートナー企業のビジネスを活性化、支援することができる。
【０００９】
また、本第二の発明のサーバ装置は、サーバ装置と情報端末装置を具備する情報処理システムを構成するサーバ装置であって、前記サーバ装置は、ある企業に関連する企業であるパートナー企業のウェブサイトを特定するパートナー企業ウェブサイト特定情報を１以上格納しているパートナー企業ウェブサイト特定情報格納部と、前記情報端末装置に出力されているウェブサイトを特定する情報である出力ウェブサイト特定情報を前記情報端末装置から受信し、当該出力ウェブサイト特定情報が前記パートナー企業ウェブサイト特定情報格納部に格納されているパートナー企業ウェブサイト特定情報の中に含まれるか否かを判断し、判断結果を取得する判断処理部と、前記判断処理部が取得した判断結果を送信する処理結果送信部を具備し、前記情報端末装置は、出力ウェブサイト特定情報を取得する出力ウェブサイト特定情報取得部と、前記サーバ装置に、前記出力ウェブサイト特定情報を送信し、当該出力ウェブサイト特定情報の送信に対応して、前記判断結果を受信する通信部と、前記判断部における判断結果が、前記出力ウェブサイト特定情報がパートナー企業ウェブサイト特定情報の中に含まれないとの判断結果である場合、前記サーバ装置から、少なくとも一つのパートナー企業ウェブサイト特定情報または、当該パートナー企業ウェブサイト特定情報に関する情報であるパートナー企業情報を取得するパートナー企業情報取得部と、前記パートナー企業情報を出力するパートナー企業情報出力部を具備する情報処理システムを構成するサーバ装置である。
【００１０】
かかる構成により、ユーザをパートナー企業のウェブサイトへ誘導でき、パートナー企業のビジネスを強力に活性化、支援することができる。
【００１１】
また、本第三の発明のサーバ装置は、第二の発明に対して、前記サーバ装置のパートナー企業ウェブサイト特定情報格納部は、パートナー企業ウェブサイト特定情報とパートナー企業の属性を示す属性情報を対に格納しており、前記情報端末装置のパートナー企業情報取得部は、前記判断部における判断結果が、前記出力ウェブサイト特定情報がパートナー企業ウェブサイト特定情報の中に含まれないとの判断結果である場合、前記サーバ装置から、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得するサーバ装置である。
【００１２】
かかる構成により、出力中のウェブサイトの企業に関連するパートナー企業のウェブサイトへ誘導でき、パートナー企業のビジネスをさらに強力に活性化、支援することができる。
【００１３】
また、本第四の発明のサーバ装置は、第二の発明に対して、前記サーバ装置は、前記パートナー企業のライバルとなるライバル企業のウェブサイトを特定するライバル企業ウェブサイト特定情報を１以上格納しているライバル企業ウェブサイト特定情報格納部をさらに具備し、前記判断処理部は、前記情報端末装置に出力されているウェブサイトを特定する情報である出力ウェブサイト特定情報を前記情報端末装置から受信し、当該出力ウェブサイト特定情報が前記ライバル企業ウェブサイト特定情報格納部に格納されているライバル企業ウェブサイト特定情報の中に含まれるか否かを判断し、判断結果を取得し、前記情報端末装置のパートナー企業情報取得部は、前記判断処理部における判断結果が、前記出力ウェブサイト特定情報がライバル企業ウェブサイト特定情報の中に含まれるとの判断結果である場合、前記サーバ装置から、少なくとも一つのパートナー企業ウェブサイト特定情報または、当該パートナー企業ウェブサイト特定情報に関する情報であるパートナー企業情報を取得するサーバ装置である。
【００１４】
かかる構成により、ユーザがライバル企業のウェブサイトを閲覧中に、パートナー企業のウェブサイトへ誘導でき、パートナー企業のビジネスをさらに強力に活性化、支援することができる。
【００１５】
また、本第五の発明のサーバ装置は、第四の発明に対して、前記サーバ装置のパートナー企業ウェブサイト特定情報格納部は、パートナー企業ウェブサイト特定情報とパートナー企業の属性を示す属性情報を対に格納しており、前記サーバ装置のライバル企業ウェブサイト特定情報格納部は、ライバル企業ウェブサイト特定情報とライバル企業の属性を示す属性情報を対に格納しており、前記情報端末装置のパートナー企業情報取得部は、前記判断部における判断結果が、前記出力ウェブサイト特定情報がライバル企業ウェブサイト特定情報の中に含まれるとの判断結果である場合、前記サーバ装置から、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得するサーバ装置である。
【００１６】
かかる構成により、出力中のウェブサイトのライバル企業に関連するパートナー企業のウェブサイトへ誘導でき、パートナー企業のビジネスをさらに強力に活性化、支援することができる。
【発明の効果】
【００１７】
本発明による情報処理システムによれば、パートナー企業のビジネスを活性化したり、支援したりすることができる。
【発明を実施するための最良の形態】
【００１８】
以下、情報処理システム等の実施形態について図面を参照して説明する。なお、実施の形態において同じ符号を付した構成要素は同様の動作を行うので、再度の説明を省略する場合がある。
（実施の形態１）
【００１９】
本実施の形態において、例えば、パートナー企業のＵＲＬを管理しており、出力されているウェブサイトがパートナー企業内のウェブサイトか否かを判断し、判断結果を出力する情報処理システムについて説明する。また、本実施の形態において、例えば、パートナー企業のＵＲＬを管理しており、他のＵＲＬに対応するウェブサイトを表示している場合、パートナー企業のウェブサイトへの移行を促す情報処理システムについて説明する。また、本実施の形態において、例えば、出力中のウェブサイトの属性（例えば、ホテル、旅行など）を問い合わせ、属性に対応するパートナー企業のウェブサイトへの移行を促す情報処理システムについて説明する。また、本実施の形態において、例えば、パートナー企業のＵＲＬとライバル企業のＵＲＬを管理しており、ライバル企業のウェブサイトを出力している場合、パートナー企業のウェブサイトへの移行を促す情報処理システムについて説明する。また、本実施の形態において、例えば、パートナー企業とライバル企業の属性（例えば、ホテル）も管理しており、ライバル企業のウェブサイトの属性値に一定の関連を有するパートナー企業のウェブサイトへの移行を促す情報処理システムについても説明する。なお、ウェブサイトとは、通常、特定のドメイン名の下にある複数のウェブページの集まりを言うが、一のウェブページでも良い。また、ウェブサイトとは、いわゆる、ホームページも含む概念であり、広く解する。
【００２０】
図１は、本実施の形態における情報処理システムの概念図である。情報処理システム１は、サーバ装置１１、１以上の情報端末装置１２、１以上のウェブサイト格納装置１３を具備する。サーバ装置１１は、パートナー企業ウェブサイト特定情報、またはパートナー企業ウェブサイト特定情報とライバル企業ウェブサイト特定情報を管理する装置である。情報端末装置１２は、ユーザがウェブサイトを閲覧する端末である。ウェブサイト格納装置１３は、１以上のウェブサイトを管理する装置である。サーバ装置１１、１以上の情報端末装置１２、１以上のウェブサイト格納装置１３は、インターネット等のネットワークで通信可能である状態である。なお、ここで、ウェブサイトとは、通常、インターネット上のアクセス可能なファイルであるが、情報群という程度の意味であってよい。また、ウェブサイトは、通常、ＨＴＭＬやＸＭＬなどの記述言語で記載されているファイルであるが、データベースのテーブル、レコードなどでも良い。つまり、ウェブサイトのファイル構造、データ構造などは問わない。
【００２１】
図２は、本実施の形態における情報処理システムのブロック図である。
【００２２】
サーバ装置１１は、パートナー企業ウェブサイト特定情報格納部１１１、ライバル企業ウェブサイト特定情報格納部１１２、判断処理部１１３、処理結果送信部１１４を具備する。
【００２３】
情報端末装置１２は、出力ウェブサイト特定情報取得部１２１、通信部１２２、判断結果出力部１２３、パートナー企業情報取得部１２４、パートナー企業情報出力部１２５、入力受付部１２６、要求送信部１２７、ウェブサイト受信部１２８、ウェブサイト出力部１２９を具備する。通信部１２２は、送信手段１２２１、受信手段１２２２を具備する。
【００２４】
ウェブサイト格納装置１３は、ウェブサイト格納部１３１、要求受信部１３２、ウェブサイト送信部１３３を具備する。
【００２５】
パートナー企業ウェブサイト特定情報格納部１１１は、パートナー企業ウェブサイト特定情報を１以上格納している。パートナー企業ウェブサイト特定情報とは、パートナー企業のウェブサイトを特定する情報である。パートナー企業とは、ある企業に、組織的、資本的、または、経済的等の関連を有する企業であり、広く解する。パートナー企業とは、例えば、ある企業で利用できるポイントを発行する、当該企業とは異なる企業である。パートナー企業とは、例えば、ある企業に対価を払って、自社情報をある企業のツールバーに掲載してもらう企業や、ライバル企業表示時に自社サイトへのリンクを表示してもらう企業などでも良い。企業とは、会社、個人、団体など、有償または無償の商品やサービスを提供する団体であり、広く解する。また、ポイントとは、マイレージ、金券やお金に変換できるポイントなど、ユーザに便宜を与える情報等と広く解する。さらに、「利用できるポイント」の「利用」とは、商品の購入、サービスの購入、景品の取得、サービスの提供などである。また、パートナー企業ウェブサイト特定情報格納部１１１は、パートナー企業ウェブサイト特定情報とパートナー企業の属性を示す属性情報を対に格納していることは好適である。ここで、属性情報とは、例えば、職種（例えば、ホテル、航空会社、家電機器製造・販売、衣料販売、病院など）や、企業グループの識別情報（例えば、Ａ社グループ、０１２３、証券コードなど）などである。なお、ウェブサイトを特定する情報とは、例えば、ＵＲＬ、ＵＲＩ、ドメイン名などである。パートナー企業ウェブサイト特定情報格納部１１１は、不揮発性の記録媒体が好適であるが、揮発性の記録媒体でも実現可能である。
【００２６】
ライバル企業ウェブサイト特定情報格納部１１２は、ライバル企業ウェブサイト特定情報を１以上格納している。ライバル企業ウェブサイト特定情報とは、パートナー企業のライバルとなるライバル企業（競業他社などの概念も含む）のウェブサイトを特定する情報である。ライバル企業ウェブサイト特定情報格納部１１２は、ライバル企業ウェブサイト特定情報とライバル企業の属性を示す属性情報を対に格納していることは好適である。通常、ライバル企業ウェブサイト特定情報とパートナー企業ウェブサイト特定情報の構造は同一であるが、異なっていても良い。ライバル企業ウェブサイト特定情報格納部１１２は、不揮発性の記録媒体が好適であるが、揮発性の記録媒体でも実現可能である。
【００２７】
判断処理部１１３は、例えば、出力ウェブサイト特定情報を受信し（図示しない「出力ウェブサイト特定情報受信手段」による処理）、出力ウェブサイト特定情報をキーとしてパートナー企業ウェブサイト特定情報格納部１１１を検索する（図示しない「判断手段」による処理）。また、判断処理部１１３は、例えば、出力ウェブサイト特定情報を受信し、出力ウェブサイト特定情報をキーとしてパートナー企業ウェブサイト特定情報格納部１１１とライバル企業ウェブサイト特定情報格納部１１２を検索する。また、判断処理部１１３は、例えば、出力ウェブサイト特定情報がパートナー企業ウェブサイト特定情報格納部１１１内のパートナー企業ウェブサイト特定情報の中に含まれるか否かを判断し、判断結果を取得する（図示しない「判断手段」による処理）。また、判断処理部１１３は、例えば、出力ウェブサイト特定情報がライバル企業ウェブサイト特定情報格納部１１２内のライバル企業ウェブサイト特定情報の中に含まれるか否かを判断し、判断結果を取得する（図示しない「判断手段」による処理）。ここで、出力ウェブサイト特定情報とは、情報端末装置１２で出力されているウェブサイトを特定する情報である。具体的には、例えば、出力ウェブサイト特定情報とは、ブラウザが表示しているウェブサイトのＵＲＬやＵＲＩや名称などである。また、判断結果とは、パートナー企業ウェブサイト特定情報の中に含まれることを示す図柄やパートナー企業ウェブサイト特定情報の中に含まれないことを示す図柄（例えば、後述するパートナー圏内外図柄）でも良いし、パートナー企業ウェブサイト特定情報の中に含まれるか否かを示す数値（例えば、「０」または「１」）でも良いし、パートナー企業ウェブサイト特定情報の中に含まれるか否かを示す文字列でも良いし、パートナー企業ウェブサイト特定情報格納部１１１やライバル企業ウェブサイト特定情報格納部１１２の検索結果のデータ等でも良い。また、判断結果のデータタイプは問わない。判断処理部１１３は、通常、ＭＰＵやメモリ等から実現され得る。判断処理部１１３の処理手順は、通常、ソフトウェアで実現され、当該ソフトウェアはＲＯＭ等の記録媒体に記録されている。但し、ハードウェア（専用回路）で実現しても良い。
【００２８】
処理結果送信部１１４は、判断処理部１１３が取得した判断結果を情報端末装置１２に送信する。ここで、判断結果は、例えば、出力ウェブサイト特定情報がパートナー企業ウェブサイト特定情報格納部１１１内のパートナー企業ウェブサイト特定情報の中に含まれるか否かの判断結果、出力ウェブサイト特定情報がライバル企業ウェブサイト特定情報格納部１１２内のライバル企業ウェブサイト特定情報の中に含まれるか否かの判断結果、出力ウェブサイト特定情報をキーとしたパートナー企業ウェブサイト特定情報格納部１１１の検索結果、または出力ウェブサイト特定情報をキーとしたライバル企業ウェブサイト特定情報格納部１１２の検索結果等である。処理結果送信部１１４は、通常、無線または有線の通信手段で実現されるが、放送手段で実現されても良い。
【００２９】
出力ウェブサイト特定情報取得部１２１は、出力されているウェブサイトを特定する情報である出力ウェブサイト特定情報を取得する。ここで、取得とは、いわゆるＷｅｂブラウザ（後述するウェブサイト出力部１２９）のＵＲＬ入力フィールドから取得する処理、または、ユーザに入力を促した場合、ユーザから入力されたＵＲＬを取得する処理、などである。なお、現在、表示されているウェブサイトのＵＲＬ等を取得する方法は問わない。出力ウェブサイト特定情報取得部１２１は、通常、ＭＰＵやメモリ等から実現され得る。出力ウェブサイト特定情報取得部１２１の処理手順は、通常、ソフトウェアで実現され、当該ソフトウェアはＲＯＭ等の記録媒体に記録されている。但し、ハードウェア（専用回路）で実現しても良い。
【００３０】
通信部１２２は、サーバ装置１１に、出力ウェブサイト特定情報を送信し、当該出力ウェブサイト特定情報の送信に対応して、判断結果を受信する。通信部１２２は、サーバ装置１１と通信し、出力ウェブサイト特定情報がパートナー企業ウェブサイト特定情報格納部１１１に格納されているパートナー企業ウェブサイト特定情報の中に含まれるか否かを判断しても良い。また、通信部１２２は、サーバ装置１１と通信し、出力ウェブサイト特定情報がライバル企業ウェブサイト特定情報格納部１１２に格納されているライバル企業ウェブサイト特定情報の中に含まれるか否かを判断しても良い。ここで、判断とは、出力ウェブサイト特定情報をキーとしてサーバ装置１１を検索し、パートナー企業ウェブサイト特定情報格納部１１１に格納されている情報を取得する検索処理でも良いし、出力ウェブサイト特定情報をキーとしてサーバ装置１１を検索し、ライバル企業ウェブサイト特定情報格納部１１２に格納されている情報を取得する検索処理でも良いし、サーバ装置１１に問合せ、判断結果を受信する処理などでも良い。この場合、実際の判断は、情報端末装置１２が行う。つまり、出力ウェブサイト特定情報がパートナー企業のウェブサイトについての情報か、ライバル企業のウェブサイトについての情報かなどの実際の判断は、サーバ装置１１が行っても良いし、情報端末装置１２が行っても良い。通信部１２２は、結果として、判断結果を得れば良い。通信部１２２は、通常、ＭＰＵやメモリ等から実現され得る。通信部１２２の処理手順は、通常、ソフトウェアで実現され、当該ソフトウェアはＲＯＭ等の記録媒体に記録されている。但し、ハードウェア（専用回路）で実現しても良い。
【００３１】
送信手段１２２１は、出力ウェブサイト特定情報を送信する。送信手段１２２１は、出力ウェブサイト特定情報を含む検索式を送信しても良い。送信手段１２２１は、通常、無線または有線の通信手段で実現されるが、放送手段で実現されても良い。
【００３２】
受信手段１２２２は、判断結果、または検索結果を受信する。検索結果とは、出力ウェブサイト特定情報をキーとして検索されたパートナー企業ウェブサイト特定情報やライバル企業ウェブサイト特定情報などである。また、判断結果とは、出力ウェブサイト特定情報がパートナー企業のウェブサイトについての情報か、ライバル企業のウェブサイトについての情報か等の情報である。受信手段１２２２は、通常、無線または有線の通信手段で実現されるが、放送を受信する手段で実現されても良い。
【００３３】
判断結果出力部１２３は、通信部１２２が取得した判断結果を出力する。ここで、出力とは、通常、出力中のウェブサイトについての企業が、パートナー企業の圏内か圏外か（パートナー企業であるか否かについての情報）を出力する。なお、通信部１２２が取得した判断結果と、判断結果出力部１２３が出力する判断結果は、同一の情報でなくても良く、対応していれば良い。また、判断結果の出力態様は問わない。出力は、画像（アイコンなども含む）や文字列による表示、音声出力などである。また、出力とは、ディスプレイへの表示、プリンタへの印字、音出力、外部の装置への送信等を含む概念である。判断結果出力部１２３は、ディスプレイやスピーカー等の出力デバイスを含むと考えても含まないと考えても良い。判断結果出力部１２３は、出力デバイスのドライバーソフトまたは、出力デバイスのドライバーソフトと出力デバイス等で実現され得る。
【００３４】
パートナー企業情報取得部１２４は、通信部１２２が取得した判断結果が、出力ウェブサイト特定情報がパートナー企業ウェブサイト特定情報の中に含まれないとの判断結果である場合、サーバ装置１１から、少なくとも一つのパートナー企業情報を取得する。パートナー企業情報とは、パートナー企業ウェブサイト特定情報または、当該パートナー企業ウェブサイト特定情報に関する情報である。パートナー企業情報とは、例えば、パートナー企業のウェブサイトに導くための情報や、パートナー企業のＵＲＬ、パートナー企業のウェブサイトへジャンプするためのバナー広告、パートナー企業の一覧メニュー（メニュー項目が指示された場合、当該企業のウェブサイトにジャンプしても良い。）、パートナー企業のメッセージなどである。また、通信部１２２が取得した判断結果が、出力ウェブサイト特定情報がパートナー企業ウェブサイト特定情報の中に含まれないとの判断結果である場合、パートナー企業情報取得部１２４は、サーバ装置１１から、出力ウェブサイト特定情報に対応する企業の属性を示す属性情報と一定の関係のある属性情報と対になる、少なくとも一つのパートナー企業情報を取得する、ことは好適である。ここで、一定の関係とは、通常、一致であるが、関連性のある属性情報群（旅行、トラベル、トリップ、旅など）を管理しており、かかる属性情報群の中に含まれるなどの関係でも良い。また、「少なくとも一つ」とは、２以上でも良い趣旨である。また、通信部１２２が取得した判断結果が、出力ウェブサイト特定情報がライバル企業ウェブサイト特定情報の中に含まれるとの判断結果である場合、パートナー企業情報取得部１２４は、サーバ装置１１から、少なくとも一つのパートナー企業情報を取得する、ことは好適である。また、パートナー企業情報取得部１２４は、通信部１２２が取得した判断結果が、出力ウェブサイト特定情報がライバル企業ウェブサイト特定情報の中に含まれるとの判断結果である場合、サーバ装置１１から、出力ウェブサイト特定情報に対応する企業の属性を示す属性情報と一定の関係のある属性情報と対になる、少なくとも一つのパートナー企業情報を取得する、ことは好適である。
【００３５】
パートナー企業情報取得部１２４は、通常、ＭＰＵやメモリ等から実現され得る。パートナー企業情報取得部１２４の処理手順は、通常、ソフトウェアで実現され、当該ソフトウェアはＲＯＭ等の記録媒体に記録されている。但し、ハードウェア（専用回路）で実現しても良い。
【００３６】
パートナー企業情報出力部１２５は、パートナー企業情報取得部１２４が取得したパートナー企業情報を出力する。ここで、出力とは、ディスプレイへの表示、プリンタへの印字、音出力、外部の装置への送信等を含む概念である。パートナー企業情報出力部１２５は、ディスプレイやスピーカー等の出力デバイスを含むと考えても含まないと考えても良い。パートナー企業情報出力部１２５は、出力デバイスのドライバーソフトまたは、出力デバイスのドライバーソフトと出力デバイス等で実現され得る。
【００３７】
入力受付部１２６は、ユーザからのウェブサイト特定情報（ＵＲＬやＵＲＩやＩＰアドレス等）の入力や、ウェブサイトへのアクセス指示などを受け付ける。ウェブサイト特定情報等の入力手段は、キーボードやマウスやメニュー画面によるもの等、何でも良い。入力受付部１２６は、テンキーやキーボード等の入力手段のデバイスドライバーや、メニュー画面の制御ソフトウェア等で実現され得る。
【００３８】
要求送信部１２７は、入力受付部１２６が受け付けたウェブサイト特定情報を用いて、ウェブサイトの送信をウェブサイト格納装置１３に要求する。要求送信部１２７は、通常、無線または有線の通信手段で実現されるが、放送手段で実現されても良い。
【００３９】
ウェブサイト受信部１２８は、要求送信部１２７における要求送信に対応して、ウェブサイトをウェブサイト格納装置１３から受信する。ウェブサイト受信部１２８は、通常、無線または有線の通信手段で実現されるが、放送を受信する手段で実現されても良い。
【００４０】
ウェブサイト出力部１２９は、ウェブサイト受信部１２８が受信したウェブサイトを出力する。ここで、出力とは、ディスプレイへの表示、プリンタへの印字、音出力、外部の装置への送信等を含む概念である。ウェブサイト出力部１２９は、ディスプレイやスピーカー等の出力デバイスを含むと考えても含まないと考えても良い。ウェブサイト出力部１２９は、出力デバイスのドライバーソフトまたは、出力デバイスのドライバーソフトと出力デバイス等で実現され得る。
【００４１】
なお、入力受付部１２６、要求送信部１２７、ウェブサイト受信部１２８、およびウェブサイト出力部１２９は、いわゆるＷｅｂブラウザの機能である。
ウェブサイト格納装置１３は、ウェブサイトを格納しており、他の装置の要求に応じて、ウェブサイトを送信する。
ウェブサイト格納部１３１は、ウェブサイトを格納している。ウェブサイト格納部１３１は、ハードディスク等の不揮発性の記録媒体が好適であるが、ＲＡＭ等の揮発性の記録媒体でも実現可能である。
要求受信部１３２は、ウェブサイトの送信要求を受信する。要求受信部１３２は、無線の通信手段が好適であるが、放送を受信する手段や有線の通信手段でも実現可能である。
ウェブサイト送信部１３３は、ウェブサイトの送信要求に応じて、ウェブサイト格納部１３１のウェブサイトを、要求した装置に送信する。ウェブサイト送信部１３３は、通常、無線または有線の通信手段で実現されるが、放送手段で実現されても良い。
【００４２】
次に、情報処理システムの動作について説明する。まず、サーバ装置１１の動作例について説明する。サーバ装置１１の判断処理部１１３は、情報端末装置１２から、出力ウェブサイト特定情報を含む問合せを受信し、パートナー企業ウェブサイト特定情報格納部１１１を検索し、出力ウェブサイト特定情報がパートナー企業ウェブサイト特定情報格納部１１１の中に格納されているか否かを判断する。そして、処理結果送信部１１４は、判断処理部１１３における判断結果を情報端末装置１２に送信する。なお、判断処理部１１３は、出力ウェブサイト特定情報がライバル企業ウェブサイト特定情報格納部１１２の中に格納されているか否かを判断しても良い。また、ここでの判断結果は、例えば、「０」（出力ウェブサイト特定情報がパートナー企業ウェブサイト特定情報格納部１１１の中に格納されている）、「１」（出力ウェブサイト特定情報がライバル企業ウェブサイト特定情報格納部１１２の中に格納されている）、「２」（出力ウェブサイト特定情報がパートナー企業ウェブサイト特定情報格納部１１１にも、ライバル企業ウェブサイト特定情報格納部１１２にも、格納されていない）などでも良いし、検索結果（パートナー企業ウェブサイト特定情報や、ライバル企業ウェブサイト特定情報や、空のデータ）などでも良い。
【００４３】
次に、情報端末装置１２の動作について、図３のフローチャートを用いて説明する。
【００４４】
（ステップＳ３０１）入力受付部１２６は、ユーザからの入力を受け付けたか否かを判断する。入力を受け付ければステップＳ３０２に行き、入力を受け付けなければステップＳ３０１に戻る。
【００４５】
（ステップＳ３０２）要求送信部１２７は、ステップＳ３０１で受け付けた情報がウェブサイト特定情報か否かを判断する。ウェブサイト特定情報であればステップＳ３０３に行き、ウェブサイト特定情報でなければステップＳ３０４に行く。
【００４６】
（ステップＳ３０３）要求送信部１２７は、ステップＳ３０１で受け付けたウェブサイト特定情報をメモリ上に配置する。なお、ウェブサイト特定情報は、通常、画面に出力されている。ステップＳ３０１に戻る。
【００４７】
（ステップＳ３０４）要求送信部１２７は、ステップＳ３０１で受け付けた情報がウェブサイトの送信要求であるか否かを判断する。送信要求であればステップＳ３０５に行き、送信要求でなければステップＳ３０１に戻る。
【００４８】
（ステップＳ３０５）要求送信部１２７は、メモリ上のウェブサイト特定情報を取得し、当該ウェブサイト特定情報を用いた送信要求を構成し、当該送信要求を、対応するウェブサイト格納装置１３に送信する。
【００４９】
（ステップＳ３０６）ウェブサイト受信部１２８は、ステップＳ３０５における送信要求の送信に対応し、ウェブサイトを受信したか否かを判断する。ウェブサイトを受信すればステップＳ３０７に行き、ウェブサイトを受信しなければステップＳ３０６に戻る。
【００５０】
（ステップＳ３０７）ウェブサイト出力部１２９は、受信したウェブサイトを出力する。なお、ステップＳ３０１からステップＳ３０７の処理は、いわゆるＷｅｂブラウザが行っている処理と同様である。
【００５１】
（ステップＳ３０８）出力ウェブサイト特定情報取得部１２１等は、パートナー企業支援処理を行う。ステップＳ３０１に戻る。パートナー企業支援処理について、図４のフローチャートを用いて説明する。
【００５２】
なお、図３のフローチャートにおいて、パートナー企業支援処理を行うタイミングはウェブサイト出力後であった。しかし、パートナー企業支援処理を行うタイミングは、ウェブサイト受信後や、送信要求の送信後や、送信要求の送信前などでも良い。つまり、パートナー企業支援処理を行うタイミングは問わない。
【００５３】
また、図３のフローチャートにおいて、ウェブサイト特定情報の受け付けと、ウェブサイトの送信要求の受け付けが同時でも良い。
【００５４】
さらに、図３のフローチャートにおいて、電源オフや処理終了の割り込みにより処理は終了する。
【００５５】
次に、ステップＳ３０８のパートナー企業支援処理について、図４のフローチャートを用いて説明する。
【００５６】
（ステップＳ４０１）出力ウェブサイト特定情報取得部１２１は、メモリ上の出力ウェブサイト特定情報を取得する。
【００５７】
（ステップＳ４０２）通信部１２２の送信手段１２２１は、ステップＳ４０１で取得した出力ウェブサイト特定情報を用いて、問い合わせ（検索式）を構成し、当該検索式を、サーバ装置１１に送信する。なお、検索式とは、出力ウェブサイト特定情報のみから構成されていても良い。
【００５８】
（ステップＳ４０３）通信部１２２の受信手段１２２２は、ステップＳ４０２における問い合わせ結果（判断結果）を受信したか否かを判断する。判断結果を受信すればステップＳ４０４に行き、判断結果を受信しなければステップＳ４０３に戻る。
【００５９】
（ステップＳ４０４）判断結果出力部１２３は、ステップＳ４０３で受信した判断結果から、出力ウェブサイト特定情報に対応するウェブサイト（現在、出力中のウェブサイト）が、パートナー企業のウェブサイトであるか否かを判断する。パートナー企業のウェブサイトであれば、ステップＳ４０５に行き、パートナー企業のウェブサイトでなければステップＳ４０７に行く。
【００６０】
（ステップＳ４０５）判断結果出力部１２３は、パートナー企業のウェブサイトであることを示す図柄（アイコン、文字列、動画、静止画など、視覚的に示す情報であれば何でも良い）を取得する。なお、この図柄は、予め判断結果出力部１２３が格納している。
【００６１】
（ステップＳ４０６）判断結果出力部１２３は、ステップＳ４０５で取得した図柄を出力する。上位処理にリターンする。
【００６２】
（ステップＳ４０７）判断結果出力部１２３は、パートナー企業のウェブサイトでないことを示す図柄（アイコン、文字列、動画、静止画など、視覚的に示す情報であれば何でも良い）を取得する。なお、この図柄は、予め判断結果出力部１２３が格納している。
【００６３】
（ステップＳ４０８）判断結果出力部１２３は、ステップＳ４０７で取得した図柄を出力する。
【００６４】
（ステップＳ４０９）パートナー企業情報取得部１２４は、ステップＳ４０３で受信した判断結果から、出力ウェブサイト特定情報に対応するウェブサイト（現在、出力中のウェブサイト）が、ライバル企業のウェブサイトであるか否かを判断する。ライバル企業のウェブサイトであればステップＳ４１０に行き、ライバル企業のウェブサイトでなければ上位処理にリターンする。
【００６５】
（ステップＳ４１０）パートナー企業情報取得部１２４は、ライバル企業に対応するパートナー企業のパートナー企業情報を、サーバ装置１１に要求する。ここで、「要求する」とは、要求（命令）を送信することである。
【００６６】
（ステップＳ４１１）パートナー企業情報取得部１２４は、ステップＳ４１０における要求に対応するパートナー企業情報を受信したか否かを判断する。パートナー企業情報を受信すればステップＳ４１２に行き、パートナー企業情報を受信しなければステップＳ４１１に戻る。
【００６７】
（ステップＳ４１２）パートナー企業情報出力部１２５は、ステップＳ４１１で受信したパートナー企業情報を出力する。
【００６８】
なお、図４のフローチャートにおいて、パートナー企業情報の送信を要求したが、要求せずに、受信しても良い。かかる場合、サーバ装置１１は、出力ウェブサイト特定情報に対応するウェブサイトが、ライバル企業のウェブサイトである場合、自動的にパートナー企業情報を送信してくる。
【００６９】
また、図４のフローチャートにおいて、出力ウェブサイト特定情報に対応するウェブサイトが、パートナー企業のウェブサイトでない場合、ライバル企業のウェブサイトであるか否かに関わらず、パートナー企業情報を出力するようにしても良い。
【００７０】
また、図４のフローチャートにおいて、出力ウェブサイト特定情報に対応するウェブサイトが、ライバル企業のウェブサイトである場合、当該ライバル企業の属性情報と一定の関係にあるパートナー企業のパートナー企業情報を出力することは好適である。
さらに、図４のフローチャートのステップＳ４０４以降の処理に代えて、情報端末装置１２の判断結果出力部１２３が、受信した判断結果を出力するだけの処理を行っても良い。つまり、出力ウェブサイト特定情報に対応するウェブサイトが、パートナー企業のウェブサイトであるか否かの判断処理等はサーバ装置１１が行い、情報端末装置１２は、サーバ装置１１から受信した判断結果等の情報を出力する、ということでも良い。
【００７１】
次に、ウェブサイト格納装置１３の動作について説明する。ウェブサイト格納装置１３の要求受信部１３２は、ウェブサイトの送信要求を受信する。そして、ウェブサイト送信部１３３は、対応するウェブサイトをウェブサイト格納部１３１から取得し、送信要求を送信してきた情報端末装置１２に、取得したウェブサイトを送信する。
【００７２】
以下、本実施の形態における情報処理システムの具体的な動作について説明する。情報処理システムの概念図は図１である。
【００７３】
今、サーバ装置１１のパートナー企業ウェブサイト特定情報格納部１１１は、図５に示すパートナー企業ウェブサイト特定情報管理表を保持している。パートナー企業ウェブサイト特定情報管理表は、１以上のパートナー企業ウェブサイト特定情報を格納するテーブルである。パートナー企業ウェブサイト特定情報管理表は、「ＩＤ」「属性情報」「パートナー企業情報」を有するレコードを１以上、有する。「パートナー企業情報」は、「企業名」「ＵＲＬ」などの属性を有する。「企業名」は、パートナー企業の名称である。「ＵＲＬ」は、パートナー企業のウェブサイトのＵＲＬである。「パートナー企業情報」は、パートナー企業の広告情報や、パートナー企業のウェブサイトに導くためのバナー広告（押下すれば、パートナー企業のウェブサイトにジャンプする広告）などの情報を有しても良い。なお、図５に示すパートナー企業ウェブサイト特定情報管理表で管理されているパートナー企業ウェブサイト特定情報の対応する企業は、ここでは、航空会社Ｘのパートナー企業である。また、このパートナー企業のリターンをウェブサイトで商品等を購入した場合、ユーザのマイレージのマイル数が貯まる仕組みになっている。なお、企業のウェブサイトで商品等を購入した場合、ユーザのマイレージのマイル数が貯まる仕組みは公知技術であるので、説明を省略する。
【００７４】
また、サーバ装置１１のライバル企業ウェブサイト特定情報格納部１１２は、図６に示すライバル企業ウェブサイト特定情報管理表を保持している。ライバル企業ウェブサイト特定情報管理表は、ここでは、パートナー企業ウェブサイト特定情報管理表と同様の構造である。
【００７５】
さらに、情報端末装置１２の判断結果出力部１２３は、出力中のウェブサイトが、パートナー企業のウェブサイトであるか否かを示す情報（ここでは、パートナー圏内外図柄という情報）を保持している。かかる情報の例は、図７である。図７は、パートナー圏内外図柄管理表である。図７において、上の図柄が、出力中のウェブサイトが、パートナー企業のウェブサイトである場合に出力される図柄である。下の図柄が、出力中のウェブサイトが、パートナー企業のウェブサイトでない場合に出力される図柄である。かかる図柄を、パートナー圏内外図柄という。かかる状況で、以下、本情報処理システムの具体的な動作例、２つについて説明する。なお、図７において管理している情報は、出力中のウェブサイトがパートナー企業のウェブサイトであることを示すパートナー圏内図柄と、出力中のウェブサイトがパートナー企業のウェブサイトでないことを示すパートナー圏外図柄の２種類であったが、３種類以上の情報でも良い。例えば、図７において、パートナー圏内図柄と、出力中のウェブサイトがライバル企業のウェブサイトであることを示すライバル企業図柄と、パートナー企業でもライバル企業でもない企業のウェブサイトであることを示す無関係図柄とを管理していても良い。なお、パートナー圏内外図柄は、情報端末装置１２に格納されている、として説明するが、パートナー圏内外図柄がサーバ装置１１に格納されており、サーバ装置１１が判断結果に応じた図柄を情報端末装置１２に送信し、情報端末装置１２が受信した図柄を出力するようにしても良い。かかる場合、図柄が判断結果である、と言える。
（具体例１）
【００７６】
今、情報端末装置１２のユーザは、情報端末装置１２に対して、ＵＲＬ「http://www.xy.jp」を入力し、ウェブサイトの送信要求を入力した（例えば、あるボタンを押下した）とする。
【００７７】
次に、情報端末装置１２の入力受付部１２６は、ＵＲＬ「http://www.xy.jp」と送信要求を受け付け、メモリ上に配置する。そして、要求送信部１２７は、ＵＲＬ「http://www.xy.jp」に対応するウェブサイト格納装置１３に対して、ＵＲＬ「http://www.xy.jp」に対応するウェブサイトの送信要求を送信する。
【００７８】
次に、ＵＲＬ「http://www.xy.jp」に対応するウェブサイト格納装置１３の要求受信部１３２は、ＵＲＬ「http://www.xy.jp」に対応するウェブサイトの送信要求を受信する。そして、ウェブサイト送信部１３３は、ＵＲＬ「http://www.xy.jp」に対応するウェブサイトをウェブサイト格納部１３１から読み出し、情報端末装置１２に送信する。
【００７９】
次に、情報端末装置１２のウェブサイト受信部１２８は、ＵＲＬ「http://www.xy.jp」に対応するウェブサイトを受信し、ウェブサイト出力部１２９は、受信したウェブサイトを出力する。この出力例が、図８の８０１である。なお、図８は、ユーザ（山田太郎様）が航空会社Ｘのサイトにログインした後の表示態様の例である。かかるログイン処理については、公知技術であるので説明を省略する。
【００８０】
次に、情報端末装置１２の出力ウェブサイト特定情報取得部１２１は、メモリ上の出力ウェブサイト特定情報「http://www.xy.jp」を取得する。
【００８１】
次に、通信部１２２の送信手段１２２１は、取得した出力ウェブサイト特定情報「http://www.xy.jp」を用いて、問い合わせ（例えば、「ask http://www.xy.jp」）を構成し、当該問い合わせを、サーバ装置１１に送信する。「ask http://www.xy.jp」は、ＵＲＬ「http://www.xy.jp」に対応する企業がパートナー企業であるか否かを問い合わせる命令（検索式）である、とする。次に、送信手段１２２１は、「ask http://www.xy.jp」をサーバ装置１１に送信する。
【００８２】
次に、サーバ装置１１の判断処理部１１３は、「ask http://www.xy.jp」を受信し、「http://www.xy.jp」をキーとして、図５のパートナー企業ウェブサイト特定情報管理表を検索し、「http://www.xy.jp」が存在する、と判断する。そして、判断処理部１１３は、出力ウェブサイト特定情報がパートナー企業ウェブサイト特定情報格納部１１１に格納されているパートナー企業ウェブサイト特定情報の中に含まれると判断する情報である判断結果（例えば「０」を含む判断結果）を構成する。そして、処理結果送信部１１４は、「０」を含む判断結果を情報端末装置１２に送信する。
【００８３】
次に、通信部１２２の受信手段１２２２は、判断情報「０」を含む判断結果を受信する。そして、判断結果出力部１２３は、「０」（出力ウェブサイト特定情報がパートナー企業ウェブサイト特定情報格納部１１１に格納されているパートナー企業ウェブサイト特定情報の中に含まれるとの判断情報）を取得する。
【００８４】
次に、判断結果出力部１２３は、判断情報「０」に対応する図柄（図７の上の図柄）を読み出す。そして、判断結果出力部１２３は、図８の８０２に示すように、当該読み出した図柄を出力する。なお、図８の８０３は、図柄８０２を含むツールバーである。このツールバーは、航空会社Ｘのサイトにリンクするためのツールバーであり、ユーザの氏名、有効マイル数、航空チケット購入のための検索フィールドなども有する。
【００８５】
以上、ユーザが指定し、出力したウェブサイトに対応する企業が、航空会社Ｘのパートナー企業のウェブサイトであることが明示され、当該パートナー企業にとって、ユーザを勧誘することができる。また、ユーザも、航空会社Ｘのマイレージのポイントを容易に貯めることができる。
（具体例２）
【００８６】
次に、情報端末装置１２のユーザは、情報端末装置１２に対して、ＵＲＬ「http://E.jp」を入力し、ウェブサイトの送信要求を入力した、とする。
【００８７】
次に、情報端末装置１２の入力受付部１２６は、ＵＲＬ「http://E.jp」と送信要求を受け付け、メモリ上に配置する。そして、要求送信部１２７は、ＵＲＬ「http://E.jp」に対応するウェブサイト格納装置１３に対して、ＵＲＬ「http://E.jp」に対応するウェブサイトの送信要求を送信する。
【００８８】
そして、上記した処理により、情報端末装置１２のウェブサイト出力部１２９は、「http://E.jp」に対応するウェブサイトを出力する（図９の９０１参照）。
【００８９】
次に、情報端末装置１２の出力ウェブサイト特定情報取得部１２１は、メモリ上の出力ウェブサイト特定情報「http://E.jp」を取得する。
【００９０】
次に、通信部１２２の送信手段１２２１は、取得した出力ウェブサイト特定情報「http://E.jp」を用いて、問い合わせ（例えば、「ask http://E.jp」）を構成し、当該問い合わせを、サーバ装置１１に送信する。次に、送信手段１２２１は、「ask http://E.jp」をサーバ装置１１に送信する。
【００９１】
次に、サーバ装置１１の判断処理部１１３は、「ask http://E.jp」を受信し、「http://www.Ｅ.jp」をキーとして、図５のパートナー企業ウェブサイト特定情報管理表を検索し、「http://E.jp」が存在しない、と判断する。そして、サーバ装置１１の判断処理部１１３は、「http://www.E.jp」をキーとして、図６のライバル企業ウェブサイト特定情報管理表を検索し、「http://E.jp」が存在する、と判断する。そして、判断処理部１１３は、出力ウェブサイト特定情報がパートナー企業ウェブサイト特定情報格納部１１１に格納されているパートナー企業ウェブサイト特定情報の中に含まれず、出力ウェブサイト特定情報がライバル企業ウェブサイト特定情報格納部１１２の中に格納されているライバル企業ウェブサイト特定情報の中に含まれると判断する情報である判断結果（例えば「１」を含む判断結果）を構成する。そして、処理結果送信部１１４は、「１」を含む判断結果を情報端末装置１２に送信する。
【００９２】
次に、通信部１２２の受信手段１２２２は、「１」を含む処理結果を受信する。そして、判断結果出力部１２３は、「１」（出力ウェブサイト特定情報がライバル企業ウェブサイト特定情報格納部１１２の中に格納されているライバル企業ウェブサイト特定情報の中に含まれるとの判断情報）を取得する。
【００９３】
次に、判断結果出力部１２３は、判断情報「１」に対応する図柄（図７の下の図柄）を読み出す。そして、判断結果出力部１２３は、図９の９０２に示すように、当該読み出した図柄を出力する。
【００９４】
次に、パートナー企業情報取得部１２４は、受信した処理結果から、出力ウェブサイト特定情報に対応するウェブサイト（現在、出力中のウェブサイト）が、ライバル企業のウェブサイトであるか否かを判断する。つまり、パートナー企業情報取得部１２４は、判断情報「１」から、出力ウェブサイト特定情報に対応するウェブサイト（現在、出力中のウェブサイト）が、ライバル企業のウェブサイトであると判断する。
【００９５】
次に、パートナー企業情報取得部１２４は、ライバル企業に対応するパートナー企業のパートナー企業情報を、サーバ装置１１に要求する。つまり、パートナー企業情報取得部１２４は、「http://E.jp」をキーとして、パートナー企業情報を取得する。パートナー企業情報取得部１２４は、「http://E.jp」をキーとして、図６のライバル企業ウェブサイト特定情報管理表から属性情報「書籍」を得て、当該「書籍」をキーとして、図５のパートナー企業ウェブサイト特定情報管理表からパートナー企業情報（例えば、「書店Ｃ，・・・，http://bookc.jp」）を得る。なお、ここで、サーバ装置１１が、最初に「ask http://E.jp」を受信した後、直ちに、「http://E.jp」をキーとして、図６のライバル企業ウェブサイト特定情報管理表から属性情報「書籍」を得て、当該「書籍」をキーとして、図５のパートナー企業ウェブサイト特定情報管理表からパートナー企業情報（例えば、「書店Ｃ，・・・，http://bookc.jp」）を読み出し、情報端末装置１２に送信しても良い。
【００９６】
次に、パートナー企業情報出力部１２５は、受信したパートナー企業情報（例えば、「書店Ｃ，・・・，http://bookc.jp」）を、例えば、図９の９０３に示すような態様で、出力する。なお、９０３のパートナー企業情報は、バナー広告になっており、ユーザが押下すれば、「http://bookc.jp」で特定される書店Ｃのウェブサイトにジャンプする。また、パートナー企業情報の出力態様は９０３に限られないことは言うまでもない。また、図９において、パートナー企業情報９０３は、航空会社Ｘのツールバー内に表示されているが、ツールバー外に表示されても良い。
【００９７】
そして、例えば、ユーザが、パートナー企業情報９０３をクリックした、とする。すると、パートナー企業情報９０３に対応する「書店Ｃ」のＵＲＬ「http://bookc.jp」が示すウェブサイトにジャンプし、当該ウェブサイトが、情報端末装置１２に表示される。また、ＵＲＬ「http://bookc.jp」が示すウェブサイトにおいて、ユーザが、本サイトのアカウントを持っていない場合、新規にアカウントを取得させるページへ誘導することは好適である。
【００９８】
以上のように、ライバル企業のウェブサイトを出力した場合、または、パートナー企業以外のウェブサイトを出力した場合には、９０２に示すようなパートナー圏外を示す図柄が出力される。また、出力したウェブサイトに対応する企業が、航空会社Ｘのパートナー企業のライバル企業のウェブサイトであることが明示され、かつ、パートナー企業のウェブサイトに導くことが可能となり、パートナー企業にとって、ユーザを勧誘することができる。また、ユーザも、航空会社Ｘのマイレージのポイントを容易に貯めることができる。
（具体例３）
【００９９】
次に、情報端末装置１２のユーザは、情報端末装置１２に対して、ＵＲＬ「http://X.co.jp」を入力し、ウェブサイトの送信要求を入力した、とする。なお、ＵＲＬ「http://X.co.jp」は、図５のパートナー企業ウェブサイト特定情報管理表にも、図６のライバル企業ウェブサイト特定情報管理表にも格納されていない、とする。
【０１００】
そして、上記と同様に、情報端末装置１２は、ＵＲＬ「http://X.co.jp」に対応するウェブサイトを出力する。
【０１０１】
次に、情報端末装置１２の出力ウェブサイト特定情報取得部１２１は、メモリ上の出力ウェブサイト特定情報「http://X.co.jp」を取得する。
【０１０２】
次に、通信部１２２の送信手段１２２１は、取得した出力ウェブサイト特定情報「http://www.X.jp」を用いて、問い合わせ（例えば、「ask http://X.co.jp」）を構成し、当該問い合わせを、サーバ装置１１に送信する。「ask http://X.co.jp」は、ＵＲＬ「http://X.co.jp」に対応する企業がパートナー企業であるか否かを問い合わせる命令（検索式）である、とする。次に、送信手段１２２１は、「ask http://X.co.jp」をサーバ装置１１に送信する。
【０１０３】
次に、サーバ装置１１の判断処理部１１３は、「ask http://X.co.jp」を受信し、「http://X.co.jp」を用いて、図５のパートナー企業ウェブサイト特定情報管理表、および図６のライバル企業ウェブサイト特定情報管理表を検索し、「http://X.co.jp」は、どちらの表にも存在しない、と判断する。そして、判断処理部１１３は、出力ウェブサイト特定情報がパートナー企業ウェブサイト特定情報格納部１１１にも、ライバル企業ウェブサイト特定情報格納部１１２にも格納されていないと判断する情報である判断結果（例えば「２」を含む判断結果）を構成する。そして、処理結果送信部１１４は、「２」を含む判断結果を情報端末装置１２に送信する。
【０１０４】
次に、通信部１２２の受信手段１２２２は、「２」を含む判断結果を受信する。そして、判断結果出力部１２３は、「２」を取得する。
【０１０５】
次に、判断結果出力部１２３は、判断情報「２」に対応する図柄（図７の下の図柄）を読み出す。そして、判断結果出力部１２３は、図９の９０２と同様の図柄を出力する。
【０１０６】
以上のように、パートナー企業以外のウェブサイトを出力した場合には、９０２に示すようなパートナー圏外を示す図柄が出力される。ユーザに、パートナー企業以外のウェブサイトを出力していることを明示できる。その結果、ユーザに、航空会社Ｘのマイレージのポイントを貯めるためのパートナー企業のウェブサイトにジャンプするトリガーを与えることができる。なお、具体例３において、具体例２と同様に、パートナー企業情報を出力しても良い。かかる場合、属性情報を問わずに、１以上のパートナー企業情報が選択され、出力されても良いし、サーバ装置１１は、図示しない属性情報決定手段により、「http://X.co.jp」のウェブサイトを自然言語処理等、することにより、当該ウェブサイトの属性情報を決定し、判断処理部１１３は、当該決定された属性情報に対応するパートナー企業情報を取得しても良い。
【０１０７】
以上、本実施の形態によれば、パートナー企業のビジネスを活性化、支援することができる。また、ある企業のパートナー企業が、当該ある企業で利用できるポイントを発行する企業である場合、ユーザにとって、ある企業のポイントを貯めやすくすることができる。
【０１０８】
なお、本実施の形態によれば、サーバ装置１１は、パートナー企業ウェブサイト特定情報格納部１１１とライバル企業ウェブサイト特定情報格納部１１２を保持していた。しかし、サーバ装置１１は、パートナー企業ウェブサイト特定情報格納部１１１だけでも良い。かかる場合、情報端末装置の通信部１２２は、サーバ装置１１と通信し、出力ウェブサイト特定情報がパートナー企業ウェブサイト特定情報格納部１１１に格納されているパートナー企業ウェブサイト特定情報の中に含まれるか否かを判断することとなる。なお、この判断とは、サーバ装置１１で行われた判断の結果を取得するだけの処理を含む。
【０１０９】
また、本実施の形態によれば、サーバ装置１１が、パートナー企業ウェブサイト特定情報格納部１１１とライバル企業ウェブサイト特定情報格納部１１２等を保持していた。しかし、パートナー企業ウェブサイト特定情報格納部１１１または／およびライバル企業ウェブサイト特定情報格納部１１２は、情報端末装置１２が保持していても良い。かかる場合、情報端末装置１２の通信部１２２が、ローカルに存在するパートナー企業ウェブサイト特定情報格納部１１１を用いて、出力ウェブサイト特定情報がパートナー企業ウェブサイト特定情報格納部１１１に格納されているパートナー企業ウェブサイト特定情報の中に含まれるか否かを判断する。または、情報端末装置１２の通信部１２２が、ローカルに存在するライバル企業ウェブサイト特定情報格納部１１２を用いて、出力ウェブサイト特定情報がライバル企業ウェブサイト特定情報格納部１１２に格納されているライバル企業ウェブサイト特定情報の中に含まれるか否かを判断する。つまり、上記実施の形態において、各処理（各機能）は、単一の装置（システム）によって集中処理されることによって実現されてもよく、あるいは、複数の装置によって分散処理されることによって実現されてもよい。また、複数の装置によって分散処理する場合、どのように処理を分散させるかは問わないことは言うまでもない。
【０１１０】
また、本実施の形態の具体例によれば、サーバ装置１１はパートナー企業情報およびライバル企業情報の属性情報を用いて、パートナー企業情報を取得した。しかし、パートナー企業情報の取得をする場合に、属性情報を用いなくても良い。
【０１１１】
また、本実施の形態の具体例において、ライバル企業情報は、ＵＲＬなどのライバル企業のウェブサイトを特定するウェブサイト特定情報だけでも良い。
【０１１２】
また、本実施の形態の具体例によれば、パートナー企業は、ある企業（ここでは、航空会社Ｘ）のポイント（マイレージポイント）を貯めることができる企業であった。しかし、あるパートナー企業が、ある別の企業に対価を払って、自社情報（パートナー企業の情報）をツールバーに掲載してもらうようにしても良い。また、あるパートナー企業が、ある別の企業に対価を払って、パートナー企業のライバル企業のサイト表示時に、自社サイトへのリンクを表示してもらうようにしても良い。つまり、上述したように、パートナー企業は、ポイントの関係だけでなく、広く解する。
【０１１３】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、情報端末装置から出力ウェブサイト特定情報を受信し、当該出力ウェブサイト特定情報が記憶媒体に格納されているパートナー企業ウェブサイト特定情報の中に含まれるか否かを判断し、判断結果を取得する判断処理部と、前記判断処理部が取得した判断結果を、前記情報端末装置に送信する処理結果送信部として機能させるためのプログラム、である。
【０１１４】
また、上記プログラムは、コンピュータを、出力されているウェブサイトを特定する情報である出力ウェブサイト特定情報を取得する出力ウェブサイト特定情報取得部と、前記出力ウェブサイト特定情報が、格納されている１以上のパートナー企業ウェブサイト特定情報の中に含まれるか否かを判断し、判断結果を取得する判断処理部と、前記判断結果が、前記出力ウェブサイト特定情報がパートナー企業ウェブサイト特定情報の中に含まれないとの判断結果である場合、少なくとも一つのパートナー企業ウェブサイト特定情報または、当該パートナー企業ウェブサイト特定情報に関する情報であるパートナー企業情報を取得するパートナー企業情報取得部と、前記パートナー企業情報を出力するパートナー企業情報出力部として機能させるためのプログラム、である。
【０１１５】
また、上記プログラムにおいて、前記パートナー企業情報取得部を、前記判断結果が、前記出力ウェブサイト特定情報がパートナー企業ウェブサイト特定情報の中に含まれないとの判断結果である場合、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得するものとして、コンピュータを機能させる、ことは好適である。
【０１１６】
また、上記プログラムにおいて、前記判断処理部は、前記出力ウェブサイト特定情報が、記憶媒体に格納されている１以上のライバル企業ウェブサイト特定情報の中に含まれるか否かを判断し、前記パートナー企業情報取得部は、前記判断結果が、前記出力ウェブサイト特定情報がライバル企業ウェブサイト特定情報の中に含まれるとの判断結果である場合、少なくとも一つのパートナー企業ウェブサイト特定情報または、当該パートナー企業ウェブサイト特定情報に関する情報であるパートナー企業情報を取得するものとして、コンピュータを機能させる、ことは好適である。
【０１１７】
また、上記プログラムにおいて、前記パートナー企業情報取得部を、前記判断結果が、前記出力ウェブサイト特定情報がライバル企業ウェブサイト特定情報の中に含まれるとの判断結果である場合、前記出力ウェブサイト特定情報に対応する企業の属性を示す属性情報と一定の関係のある属性情報と対になる、少なくとも一つのパートナー企業ウェブサイト特定情報または、当該パートナー企業ウェブサイト特定情報に関する情報であるパートナー企業情報を取得するものとして、コンピュータを機能させる、ことは好適である。
【０１１８】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１１９】
また、図１０は、本明細書で述べたプログラムを実行して、上述した実施の形態の情報端末装置、サーバ装置等を実現するコンピュータの外観を示す。上述の実施の形態は、コンピュータハードウェア及びその上で実行されるコンピュータプログラムで実現され得る。図１０は、このコンピュータシステム３４０の概観図であり、図１１は、コンピュータシステム３４０のブロック図である。
【０１２０】
図１０において、コンピュータシステム３４０は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３４１と、キーボード３４２と、マウス３４３と、モニタ３４４とを含む。
【０１２１】
図１１において、コンピュータ３４１は、ＦＤドライブ３４１１、ＣＤ−ＲＯＭドライブ３４１２に加えて、ＣＰＵ（Ｃｅｎｔｒａｌ  Ｐｒｏｃｅｓｓｉｎｇ  Ｕｎｉｔ）３４１３と、ＣＰＵ３４１３、ＣＤ−ＲＯＭドライブ３４１２及びＦＤドライブ３４１１に接続されたバス３４１４と、ブートアッププログラム等のプログラムを記憶するためのＲＯＭ（Ｒｅａｄ−Ｏｎｌｙ  Ｍｅｍｏｒｙ）３４１５と、ＣＰＵ３４１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１２２】
コンピュータシステム３４０に、上述した実施の形態の情報端末装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０１２３】
プログラムは、コンピュータ３４１に、上述した実施の形態の情報端末装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１２４】
また、上記プログラムを実行するコンピュータは、単数であってもよく、複数であってもよい。すなわち、集中処理を行ってもよく、あるいは分散処理を行ってもよい。
【０１２５】
また、上記各実施の形態において、一の装置に存在する２以上の通信手段（送信手段と受信手段など）は、物理的に一の媒体で実現されても良いことは言うまでもない。
【０１２６】
本発明は、以上の実施の形態に限定されることなく、種々の変更が可能であり、それらも本発明の範囲内に包含されるものであることは言うまでもない。
【産業上の利用可能性】
【０１２７】
以上のように、本発明にかかる情報処理システム等は、パートナー企業のビジネスを活性化、支援することができるという効果を有し、情報処理システムや、プログラム、ツールバー等として有用である。
【図面の簡単な説明】
【０１２８】
【図１】本実施の形態における情報処理システムの概念図
【図２】同情報処理システムのブロック図
【図３】同情報端末装置の動作について説明するフローチャート
【図４】同パートナー企業支援処理の動作について説明するフローチャート
【図５】同パートナー企業ウェブサイト特定情報管理表を示す図
【図６】同ライバル企業ウェブサイト特定情報管理表を示す図
【図７】同パートナー圏内外図柄管理表を示す図
【図８】同出力例を示す図
【図９】同出力例を示す図
【図１０】同コンピュータシステムの概観図
【図１１】同コンピュータシステムのブロック図
【符号の説明】
【０１２９】
１  情報処理システム
１１  サーバ装置
１２  情報端末装置
１３  ウェブサイト格納装置
１１１  パートナー企業ウェブサイト特定情報格納部
１１２  ライバル企業ウェブサイト特定情報格納部
１１３  判断処理部
１１４  処理結果送信部
１２１  出力ウェブサイト特定情報取得部
１２２  通信部
１２３  判断結果出力部
１２４  パートナー企業情報取得部
１２５  パートナー企業情報出力部
１２６  入力受付部
１２７  要求送信部
１２８  ウェブサイト受信部
１２９  ウェブサイト出力部
１３１  ウェブサイト格納部
１３２  要求受信部
１３３  ウェブサイト送信部
１２２１  送信手段
１２２２  受信手段
【図１】
2009098959.tif 000003
【図２】
2009098959.tif 000004
【図３】
2009098959.tif 000005
【図４】
2009098959.tif 000006
【図５】
2009098959.tif 000007
【図６】
2009098959.tif 000008
【図７】
2009098959.tif 000009
【図８】
2009098959.tif 000010
【図９】
2009098959.tif 000011
【図１０】
2009098959.tif 000012
【図１１】
2009098959.tif 000013